(57)【特許請求の範囲】
【請求項１】
合成樹脂フィルムの一面に第一の金属層を蒸着し、
前記第一の金属層を構成する金属とは異種でかつ電位差を有する金属からなる第二の金属層を前記第一の金属層の上に蒸着したのち、
前記第一及び第二の金属層が蒸着された合成樹脂フィルム同士を、前記第二の金属層が内側になるように互いに接着してサンドイッチ状構造体を製造し、
前記サンドイッチ状構造体を糸状に切断して形成することにより、前記第一と第二の異種金属間で生じる電位差によって抗菌性を発揮するようにしたことを特徴とする積層糸。
【請求項２】
合成樹脂フィルムの一面に第一の金属層を蒸着し、
前記第一の金属層を構成する金属とは異種でかつ電位差を有する金属からなる第二の金属層を前記第一の金属層の上に蒸着したのち、
前記第一及び第二の金属層が蒸着された合成樹脂フィルム同士を、前記第二の金属層が内側になるように互いに接着してサンドイッチ状構造体を製造し、
前記サンドイッチ状構造体を粉砕して形成することにより、前記第一と第二の異種金属間で生じる電位差によって抗菌性を発揮するようにしたことを特徴とする積層体。
【請求項３】
請求項１に記載の積層糸を原糸の一部として含んでいることを特徴とする繊維製品。
【請求項４】
請求項２に記載の積層対が原糸に付着していることを特徴とする繊維製品。
【発明の詳細な説明】
【０００１】
【産業上の利用分野】
この発明は、安全かつ半永久的な防虫・防カビ・殺菌効果を備え、有害物質を分解浄化できるとともに、マイナスイオンを発生させることのできる積層糸、積層体、繊維製品に関する。
【０００２】
【従来の技術】
従来から、防虫・防カビ・殺菌効果を備えた繊維製品として、例えば、特定の有効成分を原料繊維の製造の際に練り込んだ繊維製品や、これらの有効成分を染色加工工程で付着させた繊維製品などとともに、合成樹脂フィルムにイオン交換可能な金属層を蒸着させ、金属層が蒸着された合成樹脂フィルム同士を金属層が内側になるように接着してサンドイッチ状構造体を製造し、該サンドイッチ状構造体を糸状に切断して形成された積層糸や、前記サンドイッチ状構造体を粉砕して形成された積層体が原糸に付着した繊維製品が開発され、利用されている。
【０００３】
一方、マイナスイオンには人をリラックスさせる効果があると考えられており、マイナスイオンを発生させる木炭やトルマリンの粉砕微粉を付着・混入・塗布した繊維製品も従来から開発され利用されている
【０００４】
【発明が解決しようとする課題】
しかし、これらの繊維製品には次に掲げるような問題点があった。
【０００５】
まず、積層糸や積層体を利用した繊維製品は、細菌やウイルス並びにカビの一種であっても進化の遅れた白癬菌等には有効ではあるが、生命力の強い黒こうじカビ・赤カビ・青カビへの完全な増殖抑制は期待できないし、ダニ・のみ・昆虫の忌避効果や大型菌類・プランクトンの増殖抑制も期待できないなどの問題点があった。
【０００６】
また、木炭やトルマリンを利用した繊維製品は、木炭やトルマリンなどが洗濯等の外部刺激によって脱落するため、その機能を長期間にわたって持続できないとの問題点があった。
【０００７】
さらに、防虫・防カビ・殺菌効果とマイナスイオン発生能力とを併せて持つ繊維製品は今まで開発されていなかった。
【０００８】
そこで、この発明は、防虫・防カビ・殺菌効果を備え、有害物質を分解浄化でき、マイナスイオンを発生させることができるとともに、洗濯や振動などの刺激を与えてもこれらの諸機能が低下せず、使用者の触感・美観・機能実感などを損なわない積層糸、積層体、繊維製品を提供することを目的とする。
【０００９】
【課題を解決するための手段】
すなわち、この発明にかかる積層糸は、合成樹脂フィルムの一面に第一の金属層を蒸着し、第一の金属層を構成する金属とは異種でかつ電位差を有する金属からなる第二の金属層を前記第一の金属層の上に蒸着したのち、第一及び第二の金属層が蒸着された合成樹脂フィルム同士を、第二の金属層が内側になるように互いに接着してサンドイッチ状構造体を製造し、サンドイッチ状構造体を糸状に切断して形成することにより、第一と第二の異種金属間で生じる電位差によって抗菌性を発揮するようにしたことを特徴とする。
【００１０】
また、この発明にかかる積層体は、合成樹脂フィルムの一面に第一の金属層を蒸着し、第一の金属層を構成する金属とは異種でかつ電位差を有する金属からなる第二の金属層を前記第一の金属層の上に蒸着したのち、第一及び第二の金属層が蒸着された合成樹脂フィルム同士を、第二の金属層が内側になるように互いに接着してサンドイッチ状構造体を製造し、サンドイッチ状構造体を粉砕して形成することにより、第一と第二の異種金属間で生じる電位差によって抗菌性を発揮するようにしたことを特徴とする。
【００１１】
さらに、この発明にかかる繊維製品は、前記の積層糸を原糸の一部として含んでいること、又は、前記積層体が原糸に付着していることを特徴とする。
【００１２】
このように、この発明にかかる積層糸及び積層体が、電位差を生じる２種類の金属層を合成樹脂フィルムで挟んだサンドイッチ状構造をしていため、これらを構成要素とする繊維製品を繰り返し洗濯したりこれらに漂白剤を使用しても、防虫・防カビ・殺菌効果やマイナスイオン発生効果が低下したり、金属層が黒化して積層糸、積層体及びこれらを構成要素とする繊維製品の外観が悪化することはない。また、これら積層糸及び積層体は、合成樹脂フィルムによる柔軟性と、金属層による金属光沢に基づく審美性を備えているため、積層糸、積層体及びこれらを構成要素とする繊維製品は、充分な柔軟性、審美性を備えている。
【００１３】
【発明の実施の形態】
以下、この発明の実施の形態について、図面に基づいて説明する。
【００１４】
図１は、この発明にかかるＴシャツ（繊維製品）Ａの部分拡大図であり、この図に示すように繊維製品Ａは糸１及び糸２を天竺編みしたものである。ここで、糸１は天然又は合成繊維から製造された糸であり、糸２は、図２に示すように、後述する積層糸３を芯に、綿のファイバー４を鞘にしたコアヤーンである。
【００１５】
図３は、積層糸３の構造を模式的に示す図であり、この図に示すように、積層糸３は、合成樹脂フィルム３ａによって、後述する第一の金属層３ｂ及び第二の金属層３ｃを挟み込んだサンドイッチ状構造をしており、この積層糸３は次のような手順によって製造される。
【００１６】
まず、合成樹脂フィルム３ａに、金属を真空蒸着法やイオン蒸着法等により蒸着し、第一の金属層３ｂとする。つぎに、第一の金属層３ｂの上に、第一の金属層と同様の方法で第二の金属層３ｃを蒸着する。さらに、第二の金属層３ｃが蒸着された合成樹脂フィルム３ａ同士を、第二の金属層３ｃが内側になるように接着剤によって接着して、第一の金属層３ｂ及び第二の金属層３ｃを合成樹脂フィルム３ａで挟んだサンドイッチ状構造体を製造する。最後に、サンドイッチ状構造体を縦方向に切断すれば積層糸３が完成する。なお、積層糸３の幅は、経済性や膚触りなどを考慮すると、約０．１〜０．５ｍｍである。
【００１７】
ここで、合成樹脂フィルムとは、ポリエステル、ポリアミド、ポリオレフィン等から作られたフィルムであり、その厚さとしては、約３〜１００μｍであり、なかでも約４〜１２μｍが好ましい。
【００１８】
また、第一の金属層３ｂを構成する金属としては、銀、銅などの金属が考えられるが、中でも審美性、高貴性、安全性の観点から銀の使用が最適である。そして、第一の金属層３ｂの厚さは、約２０〜１００ｎｍ程度であり、製品コストの点からは５０〜６０ｎｍ程度が好ましい。
【００１９】
また、第二の金属層３ｃを構成する金属としては、アルミニウム、ニッケル、クロムなどの金属が考えられるが、第一の金属層との電位差の大きさ、価格などを考えればアルミニウムが最適である。そして、第二の金属層２ｂの厚さは、約２０〜１００ｎｍ程度であり、製品コストの点からは５０〜６０ｎｍ程度が好ましい。
【００２０】
さらに、接着剤としては、ポリウレタン系接着剤、ポリエステル系接着剤やアクリル系接着剤が考えられるが、繊維製品の安全性を考えると、低ホルマリン性のポリウレタン系やポリエステル系の接着剤が好ましい。
【００２１】
図４は、この発明にかかるフィルタ（繊維製品）Ｂの部分拡大図であり、この図に示すように、繊維製品Ｂは、糸５からなる不織布の表面に積層体６を貼り付けたものである。なお、糸５は天然繊維又は合成繊維からなる糸である。また、不織布は熱可塑性を持たない布地であってもよいが、接着性の点から、熱可塑性の布地の方が好ましく、糸５も熱可塑性のものが好ましい。
【００２２】
図５は、積層体６の構造を模式的に示す図であり、この図に示すように、積層体６は、合成樹脂フィルム６ａによって、第一の金属層６ｂ及び第二の金属層６ｃを挟み込んだサンドイッチ状構造をしている。また、積層体６の一面には、接着層６ｄが設けられている。
【００２３】
このような積層体６は、前記積層糸３と同様の方法により、サンドイッチ状構造体を製造し、サンドイッチ状構造体の一面に、融点の低い合成樹脂をコーティング又は融点の低い合成樹脂からなるフィルムを接着し、縦横両方向に切断、粉砕することにより作られる。なお、積層体６の切断サイズとしては、一辺が０．１〜０．５ｍｍの略四角形が好ましい。また、接着層６ｄの厚さは、できるだけ薄いほうがよく、０．５〜２μｍ程度の厚さが最適である。
【００２４】
接着層６ｄは、合成樹脂フィルム６ａを構成する合成樹脂よりも、融点の低い合成樹脂によって構成されており、このような融点の低い合成樹脂としては、ポリプロピレン、ポリウレタン、アクリル、ポリエステル系が考えられるが、合成樹脂フィルム６ａよりも、融点が２０〜４０℃低いものであればよく、なかでもポリエステル系が好ましい。
【００２５】
このような積層体６は、具体的には、以下に示すような手順によって、不織布に付着させることができる。まず、水に適当な混合度になるように積層体６を混入し、偏平ノズルから不織布の表面に必要量を噴出して、均等に積層体６を仮装着させる。つぎに、不織布から残存水分を乾燥させたのち、熱プレスを加えれば、積層体６の接着層６ｄが融解して接着剤となり、積層体６が不織布に貼りつけられる。そして、不織布に貼り付けられなかった積層体６はバキュームなどによって回収される。
【００２６】
なお、同様の布地は、不織布の必要部位に接着剤を塗布し、接着層６ｄのない積層体を不織布に振り掛けて全面を覆い隠したのち、上から接着層６ｄのない積層体を熱プレスにより加熱圧着し、積層体６をバキュームなどにより吸い取って製造することもできる。しかし、積層体の断面をできるだけ多く露出させ、積層体の布からの滑落をできるだけ防ぎ、装着加工方法を簡便にするためには、積層体６を使用する上記の方法の方が、より好ましい。
【００２７】
このように、第一の金属層３ａ、６ａ及び第二の金属層３ｂ、６ｂの側面は外部に露出しているため、酸化・塩化するものの、隣接する繊維と互いにこすれあって、当該酸化部分は取れてしまうこともあるし、取れなくても肉眼では見えない。また、第一の金属層３ａ、３ａ及び第二の金属層３ｂ、３ｂの側面以外の部分は、合成樹脂フィルム３ａ又は６ａによって保護されているため、酸化・塩化しない。そのため、繰り返し洗濯を行ったり漂白剤を使用しても、防虫・防カビ・殺菌効果やマイナスイオン発生効果が低下することはない。
【００２８】
次に、この発明に係る繊維製品を製造して各種試験を行い、この発明をさらに詳細に説明する。
【００２９】
（１）積層糸の製造
厚さ９μｍのポリエステルフィルム（東レ製）に純銀を真空蒸着法により、厚さ５０ｎｍの第一の金属層を蒸着した。つぎに、同様の方法により、純銀の金属層の上にアルミニウムからなる厚さ５０ｎｍの第二の金属層を蒸着した。さらに、ポリエステル系接着剤によって、金属層が蒸着されたポリエステルフィルム同士をその金属層が内側になるように接着して、サンドイッチ状構造体を製造した。最後に、前記サンドイッチ状構造体を縦方向に幅１５０μｍに切断して積層糸を製造した。
【００３０】
（２）下着の製造
まず、（１）で製造した積層糸を精紡交撚機にかけ、積層糸を芯に綿のファイバーを鞘にした綿番手３０のコアヤーンを得た。つぎに、前記コアヤーンを２４ゲージのメリヤス編機の全ゲージの６分１である４ゲージに均等に配置し、残る２０ゲージには３０番手の１００％綿糸を配置して天竺編みの布地を製造した。そして、製造した天竺編みの布地を、晒し・染色したのち、裁断、縫製して下着を得た。なお、この下着は、重量比で約３％の積層糸が約９７％の綿の中に均等に混入されたものとなっている。
【００３１】
（３）積層体の製造
（１）と同様の方法で製造したサンドイッチ状構造体の一面に融点が１３０℃ポリエステル系樹脂を１μｍの厚さでコーティングし、コーティングしたサンドイッチ状構造体を０．１５ｍｍ×０．１５ｍｍに粉砕して積層体を製造した。
【００３２】
（４）フィルタの製造
（３）で製造した積層体を水に混ぜて拡散し、扁平口を持つノズルから、ポリエステル１００％、厚さ約８ｍｍ、重量約４５０ｇ／ｍ2のフェルト生地に、積層体の重量がフェルト生地の３％になるよう均等に噴射したのち、乾燥機にかけ、乾燥機の出口で１６０℃の表面温度を持つロールでプレスした。最後に、フエルト生地に付着しなかった積層体をバキュームで取り除き、フィルタを得た。
【００３３】
（５）機能試験
（２）で製造された下着及び（４）で製造されたフィルタには、防虫・防カビ・殺菌効果及びマイナスイオン発生効果が確認され、これらによる消臭機能も実現できた。
【００３４】
通常の方法で製造された下着やフィルタはこのような機能を備えていないことから、これらの機能は（１）で製造された積層糸及び（３）で製造された積層体によるものであると考えられる。また、これら積層糸や積層体を構成する第一の金属層と第二の金属層のような電位差のある異種金属間に電流が流れるためには、それら金属の一方がアースされているか、純水ではない水と接しているというような導電状態が必要であるが、これら積層糸や積層体が接地などによりアースされることはまれである。しかし、下着やフィルタ中でカビや微生物が増殖し、ダニ・ノミ等の増殖や活動が活発になることから考えると、下着に付着している汗による水分、フィルタに付着している空気中の湿気からくる水分によって、導電状態が作られ、電池の仕組みによって、防虫・防カビ・殺菌効果及びマイナスイオン発生効果が生じていると考えることができる。
【００３５】
なお、この発明は上記の実施の形態及び製造例に限定されるものではなく、特許請求の範囲に記載された技術的範囲内で様々な変更を加えることともできる。
【００３６】
例えば、上記実施の形態においては、第一の金属層同士及び第二の金属層同士は、それぞれ同一の金属によって構成されていたが、これらが別々の金属から構成されていてもよい。具体的には、積層糸又は積層体を構成する金属層が蒸着された２つの合成樹脂フィルムのうち、第一の合成樹脂フィルムは、第一の金属層及び第二の金属層がそれぞれ銀、アルミニウムによって構成され、第二の合成樹脂フィルムは、第一の金属層及び第二の金属層がそれぞれアルミニウム、銀から構成されていてもよい。この場合、中心にある接着剤（絶縁体）を挟んで、各合成樹脂フィルムごとに、上記実施の形態と同様に電池の仕組みが働くとともに、第一の合成樹脂フィルムの銀からなる第一の金属層と、第二の合成樹脂フィルムのアルミニウムからなる第一の金属層との間にコンデンサーの仕組みが働くため、積層糸又は積層体が非導電環境にあるときには接着剤に電荷が貯えられ、導電環境に置かれたばあには貯えられている電荷が放出される。
【００３７】
また、上記実施の形態においては、繊維製品としては下着及びフィルタを例示したが、この他にも、肌着、靴下、各種シャツ、腹巻、寝間着などの衣類、シーツ、布団カバー、毛布、枕カバーなどの寝具、ふきん、タオルなどの日用品、カーテン、カーペット、壁紙、天井材、床材などの住宅資材などであってもよい。
【００３８】
さらに、上記実施の形態においては、繊維製品Ａ及びＢは、それぞれ天竺編みと不織布からなる繊維製品であったが、この他にも、平織、綾織、朱子織、搦み織により製造された織物、または、トリコット、ラッシエル、ミラニーズ、横編、丸編等により製造された編物、さらには、カールマイヤー法等により製造された編織物であってもよい。
【００３９】
【発明の効果】
この発明にかかる積層糸及び積層体は、電位差を生じる２種類の金属層を合成樹脂フィルムで挟んだサンドイッチ状構造をしている。
【００４０】
そのため、これらを構成要素とする繊維製品を繰り返し洗濯したり、これらに漂白剤を使用しても、防虫・防カビ・殺菌効果やマイナスイオン発生効果が低下したり、金属層が黒化して積層糸、積層体及びこれらを構成要素とする繊維製品の外観が悪化することはない。
【００４１】
また、積層糸及び積層体は、合成樹脂フィルムによる柔軟性と、金属層による金属光沢に基づく審美性を備えているため、積層糸、積層体及びこれらを構成要素とする繊維製品は充分な柔軟性、審美性を備えている。
【図面の簡単な説明】
【図１】この発明に係る繊維製品の一例の部分拡大図である。
【図２】コアヤーンの構成を示す図である
【図３】積層糸の構成を示す図である。
【図４】この発明に係る繊維製品の他の例の部分拡大図である。
【図５】積層体の構成を示す図である。
【符号の説明】
１  糸
２  コアヤーン
３  積層糸
４  綿のファイバー
５  糸
６  積層体
Ａ  繊維製品
Ｂ  繊維製品
【図１】
0003937068.tif 000002
【図２】
0003937068.tif 000003
【図３】
0003937068.tif 000004
【図４】
0003937068.tif 000005
【図５】
0003937068.tif 000006